(57)【要約】【課題】十分に使用可能な電力を使用し、かつ異なるシンボルにおける不平衡の電力を避ける。【解決手段】充分に使用可能な電力を利用して異なるシンボルにおける不平衡の電力を避けるために、ダウンリンク電力配分の方法を提供する。該方法は、干渉セルの共通参照信号（ＣＲＳ）ＲＥの位置のセルに相応するリソース・ユニット（ＲＥ）をミュートさせ、及びミュートされた後、ミュートＲＥの未使用の電力をセルＣＲＳ  ＲＥ或は物理下り共有チャネル（ＰＤＳＣＨ）データＲＥに配分することを含む。【選択図】図２
2013542676.tif 000002
【特許請求の範囲】
【請求項１】
ダウンリンク電力配分の方法であって、
干渉セルの共通参照信号ＣＲＳ  ＲＥの位置に相応するセルのリソース・ユニットＲＥをミュートさせるステップと、
前記ミュートされた後、ミュートＲＥの未使用の電力を前記セルのＣＲＳ  ＲＥ或は物理下り共有チャネルＰＤＳＣＨデータＲＥに配分するステップと、を含むダウンリンク電力配分の方法。
【請求項２】
前記ミュートＲＥの未使用の電力の部分は前記セルのＰＤＳＣＨデータＲＥに配分され、かつ前記ミュートＲＥの未使用の電力の部分は前記セルのＣＲＳ  ＲＥに配分される請求項１に記載の方法。
【請求項３】
前記セルのＣＲＳアンテナポートの数が前記干渉セルのＣＲＳアンテナポートの数と同じである場合、前記ミュートＲＥの未使用の電力は前記セルの前記ＣＲＳ  ＲＥに配分される請求項１に記載の方法。
【請求項４】
前記セルのＣＲＳアンテナポートの数が前記干渉セルのＣＲＳアンテナポートの数と同じではない場合、前記ミュートＲＥの未使用の電力は前記セルの前記ＰＤＳＣＨデータＲＥに配分される請求項１に記載の方法。
【請求項５】
前記ミュートＲＥの未使用の電力を配分するステップの前、前記方法は、
ミュートＣＲＳモードの数によってセルの特定レートの異なる表を定義させるステップをさらに含む請求項１に記載の方法。
【請求項６】
前記ミュートＲＥの未使用の電力を配分するステップの前、前記方法は、
新しい表を定義させることによってタイムスロットにおける直交周波数分割多重ＯＦＤＭシンボルインデックスを規定し、その中で、相応のＰＤＳＣＨの各リソース・ユニットエネルギーＥＰＲＥとセルの特定参照信号ＲＳ  ＥＰＲＥとの比が３種の異なるタイプを備えるステップを含む請求項５に記載の方法。
【請求項７】
セルの特定レートの異なる表を定義させるステップは、
１つと２つのアンテナポートに対して直交周波数分割多重ＯＦＤＭシンボル１のセルの特定レートの新しい表を定義させることを含む請求項５に記載の方法。
【請求項８】
新しいセルの特定パラメータを定義させてＯＦＤＭシンボル１のセルの特定レートの前記新しい表に対してインデキシングをすることを含む請求項７に記載の方法。
【請求項９】
前記セルの特定レートの異なる表から選択された表の中のセル特定レートによってリソース配分を実行することを更に含む請求項５に記載の方法。
【請求項１０】
前記表は、ミュートＣＲＳモードの現在の数によって前記セルの特定レートの異なる表から選択される請求項９に記載の方法。
【請求項１１】
より高いレイヤーが信号を送信することによって通知されたセルの特定パラメータに基づいて、前記表におけるセルの特定レートを確定させる請求項９に記載の方法。
【請求項１２】
前記表におけるセルの特定レートに基づいてユーザー設備でのデータと参照信号とを受信することに用いられる電力を計算することをさらに含む請求項９に記載の方法。
【発明の詳細な説明】
【技術分野】
【０００１】
本発明はリソース・ユニットのミュートのダウンリンク電力配分に決められるメカニズムに関する。
【背景技術】
【０００２】
異質ネットワーク配置は、マクロセルレイアウトのあらゆる場所で低電力ノード（ＬＰＮ）が配置される配置を含む。いくつかのタイプの低電力ノードが存在する。例えば、フェムトセルは、一般的に家庭或は小企業内に使用される小セルラー基地局のように設計する。それはブロードバンド（例えばＤＳＬ或はケーブル）によってサービスプロバイダーのネットワークに接続する。フェムトセルは、サービスプロバイダーが屋内のサービス範囲を拡大させることを許可し、特にもともと限定された或は使用不可能なところにアクセスする。３ＧＰＰの面から言えば、ロング・ターム・エボリューション（ＬＴＥ）フェムトセルは家庭ｅＮｏｄｅ  Ｂ（ＨｅＮＢ）と称される。一般的に、ＨｅＮＢはほかのフェムトセル或はいずれかのマクロｅＮｏｄｅＢ（ＭｅＮＢ）と繋がるダイレクト・インターフェース（例えば、３ＧＰＰにおけるＸ２インターフェース）がない。
【発明の概要】
【発明が解決しようとする課題】
【０００３】
しかし、同一のチャネルの中に配置される場合、マクロユーザー設備（ＵＥ）とフェムトユーザー設備（ＵＥ）に対して深刻な干渉問題がある。例えば、マクロＵＥがフェムトセルの近いにある場合、フェムトセル基地局からの信号は、マクロセルからの信号と干渉する。このような状況で、マクロＵＥはそのサービスマクロセルに無線リンク障害（ＲＬＦ）を報告することができる。現在の３ＧＰＰ標準によれば、例えば、３ＧＰＰ  ＴＳ  ３６．１３３では、無線リソース管理のサポートする要求及び３ＧＰＰ  ＴＳ  ３６．２１３：［進化したユニバーサル地上無線アクセス（Ｅ−ＵＴＲＡ）、物理層手続］に対して、ＵＥはセルの特定参照信号（例えば、ＬＴＥにおける共通参照信号（ＣＲＳ））に基づいてダウンリンクの品質を監視するべき、これによってサービスセルのダウンリンク無線リンクの品質を探知することに便利になる。マクロセルのＣＲＳは、隣接するフェムトセルからの及びそのほかの隣接するマクロセルからのほか干渉信号とともにマクロＵＥで受信されることができる。ある状況で、信号と干渉雑音比（ＳＩＮＲ）は閾値より低い、これもＵＥ報告リンク障害になる。しかし、もしあるセル間干渉コーディネーション技術が３ＧＰＰ  Ｒ１−１０３５６１で提案したほとんど空白サブフレーム、すなわち深刻な干渉状況で制御信頼性を向上させること、が使われたら、実際の伝送期間で干渉がない、或は無視できる干渉がある可能性がある。従来の無線リンク監視は、実際の伝送期間では実際のチャンネルの品質を反映するものではなく、かつこれによって無線リンク障害の必要のない宣言が生じるかもしれない。
【０００４】
無線リンク監視に用いられる干渉管理方法が提案されてきた。たとえば、ＨｅＮＢとＭｅＮＢの間のシンボルレイヤーの時間オフセットの方法、及び３ＧＰＰ  Ｒ１−１０４６５９において提案したＨｅＮＢがマクロｅＮＢのＣＲＳに使用されるＲＥに対してリソース・ユニット（ＲＥ）ミュートを実行する方法、すなわち同一チャネルＣＳＧ配置中の制御チャネルコーディネーションの評価、が提案された。ミュートＲＥに配分する電力はない。
【０００５】
３ＧＰＰ  ＴＳ  ３６．２１３  Ｒｅｌ−８／９：［進化したユニバーサル地上無線アクセス（Ｅ−ＵＴＲＡ）］、物理層手順］において、ＰＤＳＣＨ  ＲＥにおける物理下り共通チャネル（ＰＤＳＣＨ）各リソースユニットエネルギー（ＥＰＲＥ）とセルの特定参照信号（ＲＳ）ＥＰＲＥのある電力レートだけを規定する。各直交周波数分割多重（ＯＦＤＭ）シンボルはＰＤＳＣＨ  ＲＥにおけるＰＤＳＣＨ  ＥＰＲＥとセルの特定ＲＳ  ＥＰＲＥとの比（ゼロＥＰＲＥを備えるＰＤＳＣＨ  ＲＥに応用されることができない）に対して、表１に示したＯＦＤＭシンボルインデックスによるρＡ或はρＢによって表示する。
【０００６】
表１は、タイム・スロット内のＯＦＤＭシンボルインデックスであり、その中の相応のＰＤＳＣＨ  ＥＰＲＥはセルの特定ＲＳ  ＥＰＲＥとの比はρＡ或はρＢによって表示する。
【０００７】
【表１】
2013542676.tif 000003
【０００８】
より高いレイヤーが信号を送信することによって通知したセルの特定パラメータρＢと配置したｅＮｏｄｅＢセルの特定アンテナポートの数により、表２によってセルの特定レートρＢ／ρＡを与える。
【０００９】
表２は、１つ、２つ或は４つのセルの特定アンテナポートに対するセルの特定レートρＢ／ρＡである。
【００１０】
【表２】
2013542676.tif 000004
【００１１】
もしミュートＲＥを考慮せずに電力配分が変らない場合、異なるシンボルの間の電力の不平衡が生じる。また、もし電力配分を新たなＲＥミュートモードに基づかずに再び設計するなら、電力は充分に利用されない。
【課題を解決するための手段】
【００１２】
異なるシンボルの間の不平衡を避け、かつ電力の充分の利用を実現させるため、本発明はダウンリンク電力配分の方法を提供し、
干渉セルの共通参照信号（ＣＲＳ）ＲＥの位置に相応するセルのリソースユニット（ＲＥ）をミュートさせ、及び、
ミュートされた後、ミュートＲＥの未使用電力をＣＲＳ  ＲＥ或はセルの物理的下り共通チャネル（ＰＤＳＣＨ）データＲＥに配分するステップ含む。
【００１３】
好ましくは、ミュートＲＥの未使用電力の部分はセルのＰＤＳＣＨデータＲＥに配分し、かつミュートＲＥの未使用電力の部分はセルのＣＲＳ  ＲＥに配分される。
【００１４】
好ましくは、セルのＣＲＳアンテナポートの数が干渉セルのＣＲＳアンテナポートの数と同じである場合、ミュートＲＥの未使用電力はセルのＣＲＳ  ＲＥに配分される。
【００１５】
好ましくは、セルのＣＲＳアンテナポートの数が干渉セルのＣＲＳアンテナポートの数と同じではない場合、ミュートＲＥの未使用電力はセルのＰＤＳＣＨデータＲＥに配分する。
【００１６】
好ましくは、該方法はミュートＲＥの未使用電力を配分するステップの前に、ミュートＣＲＳモードの数によってセルの特定レートの異なる表を定義させることを更に含む。
【００１７】
好ましくは、該方法はミュートＲＥの未使用電力を配分するステップの前に、新しい表を定義してタイムスロット内のＯＦＤＭシンボルインデックスを定義し、その中の相応のＰＤＳＣＨ  ＥＰＲＥとセルの特定ＲＳ  ＥＰＲＥとの比は３種の異なるタイプ、即ち、ρＡ或はρＢ或はρＣが備えるステップを更に含む。
【００１８】
好ましくは、セルの特定レートの異なる表を定義させるステップは、１つと２つのアンテナポートに対してＯＦＤＭシンボル１のセルの特定レートの新しい表を定義させることを含む。
【００１９】
好ましくは、該方法は、新しいセルの特定パラメータＰＣを定義させてＯＦＤＭシンボル１のセルの特定レートの新しい表に対してインデキシングすることを更に含む。
【００２０】
好ましくは、該方法は、セルの特定レートの異なる表から選択した表におけるセルの特定レートによってリソース配分を実行することを更に含む。
【００２１】
好ましくて、該表はミュートＣＲＳモードの現在の数によってセルの特定レートの異なる表から選択する。
【００２２】
好ましくは、より高いレイヤーが信号を送信して通知されたセルの特定パラメータによって表におけるセルの特定レートを確定させる。
【００２３】
好ましくは、該方法は、表におけるセルの特定レートによってユーザー設備でのデータと参照信号とを受信することに用いられる電力を計算することを更に含む。
【発明の効果】
【００２４】
本発明の方法によれば、ミュートＲＥの未使用電力をＨｅＮＢのＣＲＳ  ＲＥ或はＨｅＮＢのＰＤＳＣＨデータＲＥに配分することができるので、十分に使用可能な電力を使用し、かつ異なるシンボルにおける不平衡の電力を避けることができる。
【図面の簡単な説明】
【００２５】
【図１】ＰＤＳＣＨデータと異なる参照信号のＲＥ位置を示す。
【図２】各セルの特定レートの複数の表を使用し、ミュートＣＲＳモードの数に基づいて電力配分を行うプロセスを示す。
【図３】各セルの特定レートの１つの表を使い、ミュートＣＲＳモードの数に基づいて電力配分を行うプロセスを示す。
【発明を実施するための形態】
【００２６】
十分に使用可能な電力を使い、かつ異なるシンボルにおける不平衡の電力を避けるため、再び電力配分を設計する必要がある。本発明の基本的な思想はＣＲＳモードのミュートモードの数に相応して異なる電力配分がある。このメカニズムは３ＧＰＰ  ＬＴＥ／ＬＴＥ高級システムに応用することができる。
【００２７】
さて、図面を参考して本発明の好ましい実施例を説明する。
【００２８】
図１は、ＰＤＳＣＨデータと異なる参照信号ＲＥの位置を示す。図１に示すように、もしＣＲＳアンテナポートの数がｅＮＢ１とｅＮＢ２に対しては同じであれば、異なるセルからのＣＲＳ  ＲＥは同じシンボルに位置する。ｅＮＢ１のミュートＲＥは、ｅＮＢ２のＣＲＳ  ＲＥ位置に相応する。従って、ミュートされた後、これらのミュートＲＥの未使用電力はｅＮＢ１のＣＲＳ  ＲＥに配分することができる。選択的に、未使用電力はｅＮＢ１のＰＤＳＣＨデータＲＥに配分することができる。もしＣＲＳアンテナポートの数がｅＮＢ１とｅＮＢ２においては異なるならば、これは必要である。このような場合、この２つのセルの全てのＣＲＳ  ＲＥは同じシンボルにあるのではない。このような場合、これらのミュートＲＥの未使用電力はｅＮＢ１のＰＤＳＣＨデータＲＥに配分することができる。この電力再配分をサポートするため、ミュートＲＥがシンボルの中でサービスセルのないＣＲＳ  ＲＥの状況に対して新しいρＣレートを定義しなければならない。セルの特定レートρＢ／ρＡとρＣ／ρＡの新しい表を定義する必要がある。ここでミュートＣＲＳモードの数はそれぞれ１、２及び３である場合、いくつかの表がある。ｅＮＢ１とｅＮＢ２はそれぞれＨｅＮＢとマクロｅＮＢである可能性がある。
【００２９】
表３Ａは、タイムスロット内のＯＦＤＭシンボルインデックスであり、その中の相応のＰＤＳＣＨ  ＥＰＲＥとセルの特定ＲＳ  ＥＰＲＥとの比はρＡ或はρＢ或はρＣによって表示する。
【００３０】
【表３Ａ】
2013542676.tif 000005
【００３１】
表３ＢはミュートＣＲＳモードの数は１である場合、１、２或は４つのセルの特定アンテナポートに対するセルの特定レートρＢ／ρＡである。
【００３２】
【表３Ｂ】
2013542676.tif 000006
【００３３】
表３Ｃは、ミュートＣＲＳモードの数は１である場合、１つ或は２つのセルの特定アンテナポートに対するセルの特定レートρＣ／ρＡである。
【００３４】
【表３Ｃ】
2013542676.tif 000007
【００３５】
表３Ｄは、ミュートＣＲＳモードの数は２である場合、１、２或は４つのセルの特定アンテナポートに対するセルの特定レートρＢ／ρＡである。
【００３６】
【表３Ｄ】
2013542676.tif 000008
【００３７】
表３Ｅは、ミュートＣＲＳモードの数は２である場合、１つ或は２つのセルの特定アンテナポートに対するセルの特定レートρＣ／ρＡである。
【００３８】
【表３Ｅ】
2013542676.tif 000009
【００３９】
或は、以下の表３Ｆに示すように、１つの表を使ってセルの特定レートρＢ／ρＡの表３Ｃと表３Ｅを表示することができる。
【００４０】
表３Ｆは、１つ、２つ或は４つのセルの特定アンテナポートに対するセルの特定レートρＢ／ρＡである。
【００４１】
【表３Ｆ】
2013542676.tif 000010
【００４２】
類似的に、以下の表３Ｇに示すように、われわれは１つの表でセルの特定レートρＣ／ρＡの表３Ｂと表３Ｄを表示することができる。
【００４３】
表３Ｇは、１つ或は２つのセルの特定アンテナポートに対するセルの特定レートρＣ／ρＡである。
【００４４】
【表３Ｇ】
2013542676.tif 000011
【００４５】
図２は本発明のミュートＣＲＳモードの数に基づく電力配分を行うプロセスを示し、
２０１．ｅＮＢ１はＮ数に相応するＣＲＳモードのＲＥミュートを決定し、
２０２．仮にＮ＜＝２である。このＮにより、ｅＮＢ１はセルの特定レートρＢ／ρＡの２つの表から１つの表を選択してρＣ／ρＡの２つの表から１つの表を選択し、
２０３．より高いレイヤーが信号を送信することによって通知したセルの特定パラメータρＢとＰＣに基づき、ｅＮＢ１はセルの特定レートρＢ／ρＡとρＣ／ρＡを知り、かつこれによって表３Ａのように示されたＯＦＤＭシンボルインデックス表で各シンボルの電力配分を推定するステップを含む。
【００４６】
図３はもし１つの統一された表が定義された場合、本発明のミュートＣＲＳモードの数に基づいて電力配分を行うプロセスは、
３０１．  ｅＮＢ１はＮ数に適応するＣＲＳモードのＲＥをミュートさせ、かつ相応的により高いレイヤーでセルの特定パラメータＰＢとＰＣを設置し、
３０２．より高いレイヤーが信号を送信して通知したセルの特定パラメータＰＢとＰＣに基づき、ｅＮＢ１はセルの特定レートρＢ／ρＡとρＣ／ρＡを知り、且つこれによって表３Ａにおける示されたＯＦＤＭシンボルインデックス表によって各シンボルの電力配分を推定するステップを含む。
【００４７】
ＵＥ側に、セルの特定レートのミュートＣＲＳモードの数によって該表を見つけ、受信データとＲＳ信号に対して電力計算を行う。
【００４８】
以上に説明した好ましい実施形態は、ほかの変形と増強は可能である。本発明の好ましい実施形態の以上に詳細な説明は請求項に限定された本発明の保護範囲への限定ではないことを理解するべきである。
【産業上の利用可能性】
【００４９】
本発明に提供するダウンリンクリソース配分の方法は３ＧＰＰ  ＬＴＥ／ＬＴＥ高級システムに応用することができる。本発明により、ミュートＲＥの未使用電力はＨｅＮＢのＣＲＳ  ＲＥ或はＨｅＮＢのＰＤＳＣＨデータＲＥに配分することができ、これによって充分に使用可能な電力を利用して異なるシンボルにおける不平衡の電力を避けることができる。
【図１】
2013542676.tif 000012
【図２】
2013542676.tif 000013
【図３】
2013542676.tif 000014
【国際調査報告】
2013542676.tif 000015
2013542676.tif 000016